(57)【要約】【課題】  電子掲示板等において、コメントを書き込む操作を容易にするコンテンツ送信装置及びコンテンツ送信方法を提供する。【解決手段】  図２（ａ）において、「スタイルシートに沿って、コメントする」ボタンが選択されると、図２（ｂ）の返答コメント入力画面が表示される。図２（ｂ）の返答コメント入力画面では、以前に書き込まれたコメントが表示されるとともに、各コメントに対して返答コメントを入力するためのテキストボックスＡ４が表示される。上記の各テキストボックスＡ４に返答コメントが入力されて「コメント作成」ボタンが選択されると、ユーザ端末１００からコンテンツ送信装置１０に返答コメントが送信される。【選択図】      図２
2008084022.tif 000002
【特許請求の範囲】
【請求項１】
複数のコメントと該コメントを書き込んだユーザの表示名とを含む電子掲示板コンテンツをユーザ端末に送信するコンテンツ送信手段と、
前記電子掲示板コンテンツに書き込まれた複数のコメントに対する返答コメントの入力指示を前記ユーザ端末から受け付けるコメント入力受付手段と、
前記返答コメントの入力指示を受け付けると、前記複数のコメントごとに返答コメントの入力用のインターフェイスを前記ユーザ端末に提供し、前記返答コメントの入力を受け付ける返答コメント受付手段と、
前記返答コメント受付手段により受け付けた返答コメントを、該返答コメントの宛先のユーザの表示名とともに前記電子掲示板コンテンツに追加する返答コメント追加手段と、
を備えることを特徴とするコンテンツ送信装置。
【請求項２】
前記電子掲示板コンテンツのユーザのユーザ情報を記録するユーザ情報記録手段と、
前記ユーザ情報に基づいて、前記返答コメントの入力指示を送信したユーザの認証を行う認証手段とを更に備え、
前記返答コメント受付手段は、前記複数のコメントのうち、前記返答コメントの入力指示を送信したユーザの直前のコメントより後に書き込まれた全てのコメントに対する返答コメントの入力用のインターフェイスを前記ユーザ端末に提供することを特徴とする請求項１記載のコンテンツ送信装置。
【請求項３】
前記返答コメントを作成する対象のコメントを指定する指定手段を更に備えることを特徴とする請求項１又は２記載のコンテンツ送信装置。
【請求項４】
複数のコメントと該コメントを書き込んだユーザの表示名とを含む電子掲示板コンテンツをユーザ端末に送信するコンテンツ送信手段と、
前記電子掲示板コンテンツのユーザのユーザ情報を記録するユーザ情報記録手段と、
前記電子掲示板コンテンツに書き込まれた複数のコメントに対する返答コメントの入力指示を前記ユーザ端末から受け付けるコメント入力受付手段と、
前記ユーザ情報に基づいて、前記返答コメントの入力指示を送信したユーザの認証を行う認証手段と、
前記返答コメントの入力指示を送信したユーザの表示名を取得し、前記複数のコメントの中から前記取得した表示名を含むコメントを抽出して、前記抽出したコメントごとに返答コメントの入力用のインターフェイスを前記ユーザ端末に提供し、前記返答コメントの入力を受け付ける返答コメント受付手段と、
前記返答コメント受付手段により受け付けた返答コメントを、該返答コメントの宛先のユーザの表示名とともに前記電子掲示板コンテンツに追加する返答コメント追加手段と、
を備えることを特徴とするコンテンツ送信装置。
【請求項５】
前記返答コメント受付手段は、前記複数のコメントの中から、前記返答コメントの入力指示を送信したユーザの表示名の前に前記コメントの宛先を示す符号が付されて構成される文字列を含むコメントを抽出することを特徴とする請求項４記載のコンテンツ送信装置。
【請求項６】
前記電子掲示板コンテンツ内のコメントには、それぞれ固有の識別符号が付されており、
前記返答コメント追加手段は、前記返答コメントの返答対象のコメントに付された識別符号とともに前記返答コメントを追加することを特徴とする請求項１から５のいずれか１項記載のコンテンツ送信装置。
【請求項７】
複数のコメントと該コメントを書き込んだユーザの表示名とを含む電子掲示板コンテンツをユーザ端末に送信するコンテンツ送信工程と、
前記電子掲示板コンテンツに書き込まれた複数のコメントに対する返答コメントの入力指示を前記ユーザ端末から受け付けるコメント入力受付工程と、
前記返答コメントの入力指示を受け付けると、前記複数のコメントごとに返答コメントの入力用のインターフェイスを前記ユーザ端末に提供し、前記返答コメントの入力を受け付ける返答コメント受付工程と、
前記返答コメント受付工程により受け付けた返答コメントを、該返答コメントの宛先のユーザの表示名とともに前記電子掲示板コンテンツに追加する返答コメント追加工程と、
を備えることを特徴とするコンテンツ送信方法。
【請求項８】
前記返答コメント受付工程は、
前記電子掲示板コンテンツのユーザのユーザ情報を記録するユーザ情報記録工程と、
前記ユーザ情報に基づいて、前記返答コメントの入力指示を送信したユーザの認証を行う認証工程と、
前記複数のコメントのうち、前記返答コメントの入力指示を送信したユーザの直前のコメントより後に書き込まれた全てのコメントに対する返答コメントの入力用のインターフェイスを前記ユーザ端末に提供する工程と、
を備えることを特徴とする請求項７記載のコンテンツ送信方法。
【請求項９】
前記返答コメントを作成する対象のコメントを指定する指定工程を更に備えることを特徴とする請求項７又は８記載のコンテンツ送信方法。
【請求項１０】
複数のコメントと該コメントを書き込んだユーザの表示名とを含む電子掲示板コンテンツをユーザ端末に送信するコンテンツ送信工程と、
前記電子掲示板コンテンツのユーザのユーザ情報を記録するユーザ情報記録工程と、
前記電子掲示板コンテンツに書き込まれた複数のコメントに対する返答コメントの入力指示を前記ユーザ端末から受け付けるコメント入力受付工程と、
前記ユーザ情報に基づいて、前記返答コメントの入力指示を送信したユーザの認証を行う認証工程と、
前記返答コメントの入力指示を送信したユーザの表示名を取得し、前記複数のコメントの中から前記取得した表示名を含むコメントを抽出して、前記抽出したコメントごとに返答コメントの入力用のインターフェイスを前記ユーザ端末に提供し、前記返答コメントの入力を受け付ける返答コメント受付工程と、
前記返答コメント受付工程により受け付けた返答コメントを、該返答コメントの宛先のユーザの表示名とともに前記電子掲示板コンテンツに追加する返答コメント追加工程と、
を備えることを特徴とするコンテンツ送信方法。
【請求項１１】
前記返答コメント受付工程では、前記複数のコメントの中から、前記返答コメントの入力指示を送信したユーザの表示名の前に前記コメントの宛先を示す符号が付されて構成される文字列を含むコメントを抽出することを特徴とする請求項１０記載のコンテンツ送信方法。
【請求項１２】
前記電子掲示板コンテンツ内のコメントには、それぞれ固有の識別符号が付されており、
前記返答コメント追加工程では、前記返答コメントの返答対象のコメントに付された識別符号とともに前記返答コメントを追加することを特徴とする請求項７から１１のいずれか１項記載のコンテンツ送信方法。
【発明の詳細な説明】
【技術分野】
【０００１】
本発明はコンテンツ送信装置及びコンテンツ送信方法に係り、特に送信コンテンツを作成、編集する技術に関する。
【背景技術】
【０００２】
従来、電子掲示板における元発言の重要さの度合いを示すポイントを算出する方法が提案されている（特許文献１）。また、特許文献２には、インターネット環境下の掲示板システムにおいて、大量の登録コメント内から自分の興味のあるコメントをキーワードを用いて見つけ出すキーワード検索装置について開示されている。
【特許文献１】特開２００３−１７７９９９号公報
【特許文献２】特開２００１−２９０８４０号公報
【発明の開示】
【発明が解決しようとする課題】
【０００３】
電子掲示板、ウェブログ又はソーシャルネットワーキングサービス（ＳＮＳ）のように、複数の人が書き込みを行うシステムでは、１つのコメントに対して複数のコメントが書き込まれた順に表示される。このようなシステムでは、書き込まれたコメントの数が多くなるに伴って表示が長くなる。このため、特に携帯電話用のシステムでは、表示画面の制約により、コメントの書き込み操作が煩雑になり、システムの利用の拡大の妨げになるという問題があった。
【０００４】
本発明はこのような事情に鑑みてなされたもので、電子掲示板等において、コメントを書き込む操作を容易にするコンテンツ送信装置及びコンテンツ送信方法を提供することを目的とする。
【課題を解決するための手段】
【０００５】
上記課題を解決するために、本願発明１に係るコンテンツ送信装置は、複数のコメントと該コメントを書き込んだユーザの表示名とを含む電子掲示板コンテンツをユーザ端末に送信するコンテンツ送信手段と、前記電子掲示板コンテンツに書き込まれた複数のコメントに対する返答コメントの入力指示を前記ユーザ端末から受け付けるコメント入力受付手段と、前記返答コメントの入力指示を受け付けると、前記複数のコメントごとに返答コメントの入力用のインターフェイスを前記ユーザ端末に提供し、前記返答コメントの入力を受け付ける返答コメント受付手段と、前記返答コメント受付手段により受け付けた返答コメントを、該返答コメントの宛先のユーザの表示名とともに前記電子掲示板コンテンツに追加する返答コメント追加手段とを備えることを特徴とする。
【０００６】
本願発明１によれば、電子掲示板等のコンテンツにおいて複数のコメントに対する返答コメントを書き込む操作を容易に行うことができる。
【０００７】
本願発明２は、本願発明１のコンテンツ送信装置において、前記電子掲示板コンテンツのユーザのユーザ情報を記録するユーザ情報記録手段と、前記ユーザ情報に基づいて、前記返答コメントの入力指示を送信したユーザの認証を行う認証手段とを更に備え、前記返答コメント受付手段は、前記複数のコメントのうち、前記返答コメントの入力指示を送信したユーザの直前のコメントより後に書き込まれた全てのコメントに対する返答コメントの入力用のインターフェイスを前記ユーザ端末に提供することを特徴とする。
【０００８】
本願発明２によれば、前回返答したコメントを返答コメントの作成対象から自動的に外すことができる。
【０００９】
本願発明３は、本願発明１又は２のコンテンツ送信装置において、前記返答コメントを作成する対象のコメントを指定する指定手段を更に備えることを特徴とする。
【００１０】
本願発明３によれば、例えば、コメントごとに付されたチェックボックス等を用いて返答対象のコメントを選択することにより、返答コメントの作成操作を簡略化することができる。
【００１１】
本願発明４に係るコンテンツ送信装置は、複数のコメントと該コメントを書き込んだユーザの表示名とを含む電子掲示板コンテンツをユーザ端末に送信するコンテンツ送信手段と、前記電子掲示板コンテンツのユーザのユーザ情報を記録するユーザ情報記録手段と、前記電子掲示板コンテンツに書き込まれた複数のコメントに対する返答コメントの入力指示を前記ユーザ端末から受け付けるコメント入力受付手段と、前記ユーザ情報に基づいて、前記返答コメントの入力指示を送信したユーザの認証を行う認証手段と、前記返答コメントの入力指示を送信したユーザの表示名を取得し、前記複数のコメントの中から前記取得した表示名を含むコメントを抽出して、前記抽出したコメントごとに返答コメントの入力用のインターフェイスを前記ユーザ端末に提供し、前記返答コメントの入力を受け付ける返答コメント受付手段と、前記返答コメント受付手段により受け付けた返答コメントを、該返答コメントの宛先のユーザの表示名とともに前記電子掲示板コンテンツに追加する返答コメント追加手段とを備えることを特徴とする。
【００１２】
本願発明４によれば、電子掲示板等において、返答コメントを作成する際に、自分宛のコメントを自動的に抽出して、当該コメントに対する返答コメントを書き込むことができる。
【００１３】
本願発明５は、本願発明４のコンテンツ送信装置において、前記返答コメント受付手段は、前記複数のコメントの中から、前記返答コメントの入力指示を送信したユーザの表示名の前に前記コメントの宛先を示す符号が付されて構成される文字列を含むコメントを抽出することを特徴とする。
【００１４】
本願発明５によれば、例えば、電子掲示板において、コメントの宛先ユーザを示す「＞」や矢印等の符号とユーザの表示名の組み合わせを検出することにより、自分宛のコメントを自動的に抽出して、当該コメントに対する返答コメントを書き込むことができる。
【００１５】
本願発明６は、本願発明１から５のコンテンツ送信装置において、前記電子掲示板コンテンツ内のコメントには、それぞれ固有の識別符号が付されており、前記返答コメント追加手段は、前記返答コメントの返答対象のコメントに付された識別符号とともに前記返答コメントを追加することを特徴とする。
【００１６】
本願発明７に係るコンテンツ送信方法は、複数のコメントと該コメントを書き込んだユーザの表示名とを含む電子掲示板コンテンツをユーザ端末に送信するコンテンツ送信工程と、前記電子掲示板コンテンツに書き込まれた複数のコメントに対する返答コメントの入力指示を前記ユーザ端末から受け付けるコメント入力受付工程と、前記返答コメントの入力指示を受け付けると、前記複数のコメントごとに返答コメントの入力用のインターフェイスを前記ユーザ端末に提供し、前記返答コメントの入力を受け付ける返答コメント受付工程と、前記返答コメント受付工程により受け付けた返答コメントを、該返答コメントの宛先のユーザの表示名とともに前記電子掲示板コンテンツに追加する返答コメント追加工程とを備えることを特徴とする。
【００１７】
本願発明８は、本願発明７のコンテンツ送信方法において、前記返答コメント受付工程は、前記電子掲示板コンテンツのユーザのユーザ情報を記録するユーザ情報記録工程と、前記ユーザ情報に基づいて、前記返答コメントの入力指示を送信したユーザの認証を行う認証工程と、前記複数のコメントのうち、前記返答コメントの入力指示を送信したユーザの直前のコメントより後に書き込まれた全てのコメントに対する返答コメントの入力用のインターフェイスを前記ユーザ端末に提供する工程とを備えることを特徴とする。
【００１８】
本願発明９は、本願発明７又は８のコンテンツ送信方法において、前記返答コメントを作成する対象のコメントを指定する指定工程を更に備えることを特徴とする。
【００１９】
本願発明１０に係るコンテンツ送信方法は、複数のコメントと該コメントを書き込んだユーザの表示名とを含む電子掲示板コンテンツをユーザ端末に送信するコンテンツ送信工程と、前記電子掲示板コンテンツのユーザのユーザ情報を記録するユーザ情報記録工程と、前記電子掲示板コンテンツに書き込まれた複数のコメントに対する返答コメントの入力指示を前記ユーザ端末から受け付けるコメント入力受付工程と、前記ユーザ情報に基づいて、前記返答コメントの入力指示を送信したユーザの認証を行う認証工程と、前記返答コメントの入力指示を送信したユーザの表示名を取得し、前記複数のコメントの中から前記取得した表示名を含むコメントを抽出して、前記抽出したコメントごとに返答コメントの入力用のインターフェイスを前記ユーザ端末に提供し、前記返答コメントの入力を受け付ける返答コメント受付工程と、前記返答コメント受付工程により受け付けた返答コメントを、該返答コメントの宛先のユーザの表示名とともに前記電子掲示板コンテンツに追加する返答コメント追加工程とを備えることを特徴とする。
【００２０】
本願発明１１は、本願発明１０のコンテンツ送信方法において、前記返答コメント受付工程では、前記複数のコメントの中から、前記返答コメントの入力指示を送信したユーザの表示名の前に前記コメントの宛先を示す符号が付されて構成される文字列を含むコメントを抽出することを特徴とする。
【００２１】
本願発明１２は、本願発明７から１１のコンテンツ送信方法において、前記電子掲示板コンテンツ内のコメントには、それぞれ固有の識別符号が付されており、前記返答コメント追加工程では、前記返答コメントの返答対象のコメントに付された識別符号とともに前記返答コメントを追加することを特徴とする。
【発明の効果】
【００２２】
本発明によれば、電子掲示板等のコンテンツにおいて、他のユーザのコメントに対する返答コメントを書き込む操作を容易に行うことができる。
【発明を実施するための最良の形態】
【００２３】
以下、添付図面に従って本発明に係るコンテンツ送信装置及びコンテンツ送信方法の好ましい実施の形態について説明する。
【００２４】
［第１の実施形態］
図１は、本発明の第１の実施形態に係るコンテンツ送信装置を含むコンテンツ送信システムの構成を示すブロック図である。図１に示すように、コンテンツ送信装置１０は、ネットワークを介してユーザ端末１００に電子掲示板コンテンツを送信するとともに、送信した電子掲示板コンテンツに対する書き込みを受け付ける装置であり、コンテンツ送信サーバ１２、文書管理テーブル１４及びユーザ／文書データベース１６を含んでいる。
【００２５】
ユーザ端末１００は、例えば、携帯電話機により構成され、コンテンツや画像、各種の操作メニューを表示するための表示部１０２と、コンテンツの送信要求や文字入力、操作メニューの選択を行うための入力部１０４を備えている。
【００２６】
コンテンツ送信サーバ１２は、ユーザ／文書データベース１６に格納された電子掲示板コンテンツをユーザ端末１００に対して送信し、ユーザ端末１００からの書き込みを受け付けるウェブサーバとして機能し、ユーザ認証部１８、コンテンツ送信部２０及びコンテンツ書き込み部２２を備えている。
【００２７】
ユーザ認証部１８は、ユーザ端末１００からのコンテンツの送信要求を受け付けるとともに、当該ユーザ端末１００を特定するための識別子（例えば、携帯電話機に固有の端末情報又はユーザＩＤとパスワードの組み合わせ等）を取得してユーザの認証を行う。
【００２８】
コンテンツ送信部２０は、ユーザ端末１００からのコンテンツの送信要求に応じて、ユーザ／文書データベース１６から電子掲示板コンテンツを読み出してユーザ端末１００に送信する。コンテンツ送信部２０から送信された電子掲示板コンテンツは、ユーザ端末１００により正常に受信されると表示部１０２に表示される。そして、ユーザ端末１００から電子掲示板コンテンツへの書き込み指示が送信されると、コンテンツ送信部は、当該電子掲示板コンテンツへの書き込みを行うためのインターフェイスをユーザ端末１００に提供する。
【００２９】
コンテンツ書き込み部２２は、ユーザ端末１００から上記インターフェイスを介して書き込みが行われると、書き込みの内容を当該電子掲示板コンテンツに追加して、ユーザ／文書データベース１６に書き込む。
【００３０】
ユーザ／文書データベース１６は、電子掲示板コンテンツを格納する。文書管理テーブル１４は、ユーザ／文書データベース１６に格納された電子掲示板コンテンツと、当該電子掲示板コンテンツに書き込みを行ったユーザ端末１００の識別子及び書き込みを行ったときの名前（ハンドルネーム）と関連付けて記録する。
【００３１】
図２は、本発明の第１の実施形態に係る電子掲示板コンテンツの表示例を示す図である。図２（ａ）に示すように、電子掲示板コンテンツは、スレッドフロート型のコンテンツであり、板（スレッド）を作成したユーザ「ゆきさん」の書き込みの表示領域Ａ１と、「ゆきさん」の書き込みに対するコメントの表示領域Ａ２と、「ゆきさん」の書き込みに対してコメントを入力するための操作部材の表示領域Ａ３を含んでいる。なお、表示領域Ａ２では、各書き込みに通し番号が割り当てられている。
【００３２】
図２（ａ）において、「コメントする」ボタンが選択されると、返答コメントの入力画面が表示される。そして、コメントが入力されてコンテンツ送信装置１０に送信されると、コンテンツ書き込み部２２によりコメントが表示領域Ａ２に追加される。
【００３３】
一方、図２（ａ）において、「スタイルシートに沿って、コメントする」ボタンが選択されると、図２（ｂ）に示す返答コメント入力画面が表示される。図２（ｂ）の返答コメント入力画面では、以前に書き込まれたコメントが表示されるとともに、各コメントに対して返答コメントを入力するためのテキストボックスＡ４が表示される。なお、返答コメントが過去に書き込まれている場合には、当該返答コメント以降のコメントに対してのみ返答コメントの入力が可能となるようにしてもよい。
【００３４】
ここで、テキストボックスＡ４の大きさは、書き込まれた文章の長さによらず一定とすることが好ましい。これにより、携帯電話機等の表示画面が小さい端末でも、返答コメントの入力が容易になる。なお、この場合、テキストボックスＡ４内に書き込まれた文章の全体を参照、編集する場合には、テキストボックスＡ４が選択されたときに、書き込まれた文章を全画面表示するか又はテキストボックスＡ４にスクロールバーを設けて書き込まれた文章をスクロール表示するようにすればよい。
【００３５】
上記の各テキストボックスＡ４に返答コメントが入力されて「コメント作成」ボタンが選択されると、ユーザ端末１００からコンテンツ送信装置１０に返答コメントが送信される。ユーザ認証部１８は、返答コメントを送信したユーザ端末１００の識別子を取得して、文書管理テーブル１４を参照し、返答コメントを送信したユーザが過去の書き込みに使用した名前「ゆき」を取得する。そして、図２（ｃ）に示すように、表示領域Ａ２に返答コメントが追加されるとともに、名前「ゆき」が返答コメントを書き込んだユーザの名前として表示される。
【００３６】
一方、返答コメントを送信したユーザ端末１００の識別子が文書管理テーブル１４に記録されていない場合には、返答コメントの送信時に名前を入力するための画面が表示され、この画面に入力されコンテンツ送信装置１０に送信された名前が返答コメントに記載されるとともに、ユーザ端末１００の識別子と関連付けられて文書管理テーブル１４に記録される。
【００３７】
図２（ｃ）の返答コメント４では、返答コメントの宛先を示す符号「＞」と宛先のユーザの名前「まき」、「ひろし」及び「mika」の名前とともに、各ユーザに対する返答コメントが表示される。なお、ユーザ「まき」、「ひろし」及び「mika」が書き込んだコメントが複数ある場合には、どのコメントに対する返答コメントかわかるように、元のコメントの通し番号を一緒に表示するようにしてもよい。
【００３８】
次に、コンテンツ送信装置１０における返答コメントの書き込み処理について、図３のフローチャートを参照して説明する。まず、電子掲示板コンテンツ上で、「スタイルシートに沿って、コメントする」ボタンが選択されたことを検出すると（ステップＳ１０）、図２（ｂ）に示した返答コメントの入力画面が送信される。そして、ユーザ端末１００において、返答コメントが入力されて「コメント作成」ボタンが選択されると（ステップＳ１２）、コンテンツ書き込み部２２により電子掲示板コンテンツに返答コメントが書き込まれて、ユーザ端末１００に送信、表示されるとともに、ユーザ／文書データベース１６に格納される（ステップＳ１４）。
【００３９】
本実施形態によれば、電子掲示板等のコンテンツにおいて複数のコメントに対する返答コメントを書き込む操作を容易に行うことができる。
【００４０】
なお、本実施形態では、全てのコメントに対して返答コメントの入力を行うようにしたが（図２（ｂ））、例えば、ユーザが以前に入力したコメント又は返答コメントより後に入力されたコメントに対してのみ返答コメントの入力画面が表示されるようにしてもよい。
【００４１】
［第２の実施形態］
次に、本発明の第２の実施形態について説明する。なお、コンテンツ送信装置１０の構成については、上記の実施形態と同様であるため説明を省略する。
【００４２】
図４は、本発明の第２の実施形態に係る電子掲示板コンテンツの表示例を示す図である。図４（ａ）において、「スタイルシートに沿って、コメントする」ボタンが選択されると、ユーザ認証部１８は、「スタイルシートに沿って、コメントする」ボタンを選択したユーザ端末１００の識別子を取得して、文書管理テーブル１４を参照し、このユーザが過去の書き込みに使用した名前「ゆき」を取得する。コンテンツ送信部２０は、表示領域Ａ２のコメントの中から、コメントの宛先を示す符号「＞」と名前「ゆき」を含むコメントを抽出し、符号「＞」と名前「ゆき」を含むコメントに対する返答コメントの入力画面をユーザ端末１００に提供する。なお、コメントの宛先を示す符号としては、「＞」のほか、矢印等一般に宛先の指定に用いされる符号や単語（「〜様」、「〜殿」等）が検出される。
【００４３】
図４（ｂ）に示す返答コメント入力画面では、符号「＞」と名前「ゆき」を含むコメントが通し番号の順に表示されるとともに、各コメントに対して返答コメントを入力するためのテキストボックスＡ４が表示される。
【００４４】
上記の各テキストボックスＡ４に返答コメントが入力されて「コメント作成」ボタンが選択されると、ユーザ端末１００からコンテンツ送信装置１０に返答コメントが送信される。すると、図４（ｃ）に示すように、表示領域Ａ２に返答コメントが追加されるとともに、名前「ゆき」が返答コメントを書き込んだユーザの名前として表示される。
【００４５】
図４（ｃ）の返答コメント５では、返答コメントの宛先を示す符号「＞」と宛先のユーザの名前「まき」、「ひろし」及び「mika」の名前とともに、各ユーザに対する返答コメントが表示される。なお、ユーザ「まき」、「ひろし」及び「mika」が書き込んだコメントが複数ある場合には、どのコメントに対する返答コメントかわかるように、元のコメントの通し番号を一緒に表示するようにしてもよい。
【００４６】
次に、本実施形態に係る返答コメントの書き込み処理について、図５のフローチャートを参照して説明する。まず、電子掲示板コンテンツ上で、「スタイルシートに沿って、コメントする」ボタンが選択されたことを検出すると（ステップＳ２０）、「スタイルシートに沿って、コメントする」ボタンを選択したユーザ端末１００の識別子が取得されて、この識別子に対応するユーザの名前が取得され、宛先を示す符号「＞」と宛先のユーザの名前を含むコメントが抽出されて、図４（ｂ）に示した返答コメントの入力画面がユーザ端末１００に送信される。そして、ユーザ端末１００において、返答コメントが入力されて「コメント作成」ボタンが選択されると（ステップＳ２２）、コンテンツ書き込み部２２により電子掲示板コンテンツに返答コメントが書き込まれて、ユーザ端末１００に送信、表示されるとともに、ユーザ／文書データベース１６に格納される（ステップＳ２４）。
【００４７】
本実施形態によれば、電子掲示板等において、自分宛のコメントを自動的に抽出して、当該コメントに対する返答コメントを書き込むことができる。
【００４８】
［第３の実施形態］
次に、本発明の第３の実施形態について説明する。なお、コンテンツ送信装置１０の構成については、上記の実施形態と同様であるため説明を省略する。
【００４９】
図６は、本発明の第２の実施形態に係る電子掲示板コンテンツの表示例を示す図である。図６（ａ）において、「スタイルシートに沿って、コメントする」ボタンが選択されると、ユーザ認証部１８は、「スタイルシートに沿って、コメントする」ボタンを選択したユーザ端末１００の識別子を取得して、文書管理テーブル１４を参照し、このユーザが過去の書き込みに使用した名前「ゆき」を取得する。コンテンツ送信部２０は、表示領域Ａ２のコメントの中からユーザの名前「ゆき」を含むコメントを抽出し、名前「ゆき」を含むコメントに対する返答コメントの入力画面をユーザ端末１００に提供する。
【００５０】
図６（ｂ）に示す返答コメント入力画面では、名前「ゆき」を含むコメントが通し番号の順に表示されるとともに、各コメントに対して返答コメントを入力するためのテキストボックスＡ４が表示される。
【００５１】
上記の各テキストボックスＡ４に返答コメントが入力されて「コメント作成」ボタンが選択されると、ユーザ端末１００からコンテンツ送信装置１０に返答コメントが送信される。すると、図６（ｃ）に示すように、表示領域Ａ２に返答コメントが追加されるとともに、名前「ゆき」が返答コメントを書き込んだユーザの名前として表示される。
【００５２】
図６（ｃ）の返答コメント５では、返答コメントの宛先を示す符号「＞」と宛先のユーザの名前「まき」、「ひろし」及び「mika」の名前とともに、各ユーザに対する返答コメントが表示される。なお、ユーザ「まき」、「ひろし」及び「mika」のが書き込んだコメントが複数ある場合には、どのコメントに対する返答コメントかわかるように、元のコメントの通し番号を一緒に表示するようにしてもよい。
【００５３】
次に、本実施形態に係る返答コメントの書き込み処理について、図７のフローチャートを参照して説明する。まず、電子掲示板コンテンツ上で、「スタイルシートに沿って、コメントする」ボタンが選択されたことを検出すると（ステップＳ３０）、「スタイルシートに沿って、コメントする」ボタンを選択したユーザ端末１００の識別子が取得されて、この識別子に対応するユーザの名前「ゆき」が取得され、ユーザの名前「ゆき」を含むコメントが抽出されて、図６（ｂ）に示した返答コメントの入力画面がユーザ端末１００に送信される。そして、ユーザ端末１００において、返答コメントが入力されて「コメント作成」ボタンが選択されると（ステップＳ３２）、コンテンツ書き込み部２２により電子掲示板コンテンツに返答コメントが書き込まれて、ユーザ端末１００に送信、表示されるとともに、ユーザ／文書データベース１６に格納される（ステップＳ３４）。
【００５４】
本実施形態によれば、電子掲示板等において、自分宛のコメントを自動的に抽出して、当該コメントに対する返答コメントを書き込むことができる。
【００５５】
［第４の実施形態］
次に、本発明の第４の実施形態について説明する。なお、コンテンツ送信装置１０の構成については、上記の実施形態と同様であるため説明を省略する。
【００５６】
図８は、本発明の第４の実施形態に係る電子掲示板コンテンツの表示例を示す図である。図８（ａ）に示すように、本実施形態では、表示領域Ａ２にはユーザ「ゆきさん」に対するコメントと、当該コメントを書いたユーザの名前とともに表示され、表示領域Ａ３には表示領域Ａ２のユーザの名前とチェックボックスＢ１が表示されている。
【００５７】
図８（ａ）において、返答コメントの宛先のユーザ名に対応するチェックボックスＢ１がチェックされて、「スタイルシートに沿って、コメントする」ボタンが選択されると、図８（ｂ）に示す返答コメント入力画面が表示される。図８（ｂ）の返答コメント入力画面では、チェックされたユーザのコメントが表示されるとともに、各コメントに対して返答コメントを入力するためのテキストボックスＡ４が表示される。
【００５８】
上記の各テキストボックスＡ４に返答コメントが入力されて「コメント作成」ボタンが選択されると、ユーザ端末１００からコンテンツ送信装置１０に返答コメントが送信される。ユーザ認証部１８は、返答コメントを送信したユーザ端末１００の識別子を取得して、文書管理テーブル１４を参照し、返答コメントを送信したユーザが過去の書き込みに使用した名前「ゆき」を取得する。そして、図８（ｃ）に示すように、表示領域Ａ２に返答コメントが追加されるとともに、名前「ゆき」が返答コメントを書き込んだユーザの名前として表示される。
【００５９】
一方、返答コメントを送信したユーザ端末１００の識別子が文書管理テーブル１４に記録されていない場合には、返答コメントの送信時に名前を入力するための画面が表示され、この画面に入力されコンテンツ送信装置１０に送信された名前が返答コメントに記載されるとともに、ユーザ端末１００の識別子と関連付けられて文書管理テーブル１４に記録される。
【００６０】
図８（ｃ）の返答コメント４では、返答コメントの宛先を示す符号「＞」と宛先のユーザの名前「まき」、「ひろし」及び「mika」の名前とともに、各ユーザに対する返答コメントが表示される。なお、ユーザ「まき」、「ひろし」及び「mika」が書き込んだコメントが複数ある場合には、どのコメントに対する返答コメントかわかるように、元のコメントの通し番号を一緒に表示するようにしてもよい。
【００６１】
次に、コンテンツ送信装置１０における返答コメントの書き込み処理について、図９のフローチャートを参照して説明する。まず、電子掲示板コンテンツ上で、チェックボックスＢ１が選択されて返答コメントの宛先のユーザが選択されると、「スタイルシートに沿って、コメントする」ボタンが選択されたことを検出すると（ステップＳ４０）、図８（ｂ）に示した返答コメントの入力画面が送信される。そして、ユーザ端末１００において、返答コメントが入力されて「コメント作成」ボタンが選択されると（ステップＳ４２）、コンテンツ書き込み部２２により電子掲示板コンテンツに返答コメントが書き込まれて、ユーザ端末１００に送信、表示されるとともに、ユーザ／文書データベース１６に格納される（ステップＳ４４）。
【００６２】
本実施形態によれば、電子掲示板等において、返答コメントを作成したいユーザを選択して、当該ユーザに対する返答コメントを書き込むことができる。
【００６３】
なお、図１０に示すように、表示領域Ａ２のコメントごとにチェックボックスＢ２を設けて、各コメントに対する返答コメントを作成できるようにしてもよい。
【００６４】
また、図１０では、全てのコメントに対してチェックボックスＢ２を設けるようにしたが、例えば、ユーザが以前に入力したコメント又は返答コメントより後に入力されたコメントに対してのみチェックボックスＢ２を設けるようにしてもよい。
【図面の簡単な説明】
【００６５】
【図１】本発明の第１の実施形態に係るコンテンツ送信装置を含むコンテンツ送信システムの構成を示すブロック図
【図２】本発明の第１の実施形態に係る電子掲示板コンテンツの表示例を示す図
【図３】本発明の第１の実施形態に係るコンテンツ送信装置１０における返答コメントの書き込み処理を示すフローチャート
【図４】本発明の第２の実施形態に係る電子掲示板コンテンツの表示例を示す図
【図５】本発明の第２の実施形態に係るコンテンツ送信装置１０における返答コメントの書き込み処理を示すフローチャート
【図６】本発明の第３の実施形態に係る電子掲示板コンテンツの表示例を示す図
【図７】本発明の第３の実施形態に係るコンテンツ送信装置１０における返答コメントの書き込み処理を示すフローチャート
【図８】本発明の第４の実施形態に係る電子掲示板コンテンツの表示例を示す図
【図９】本発明の第４の実施形態に係るコンテンツ送信装置１０における返答コメントの書き込み処理を示すフローチャート
【図１０】電子掲示板コンテンツの別の表示例を示す図
【符号の説明】
【００６６】
１０…コンテンツ送信装置、１２…コンテンツ送信サーバ、１４…文書管理テーブル、１６…ユーザ／文書データベース、１８…ユーザ認証部、２０…コンテンツ送信部、２２…コンテンツ書き込み部
【図１】
2008084022.tif 000003
【図２】
2008084022.tif 000004
【図３】
2008084022.tif 000005
【図４】
2008084022.tif 000006
【図５】
2008084022.tif 000007
【図６】
2008084022.tif 000008
【図７】
2008084022.tif 000009
【図８】
2008084022.tif 000010
【図９】
2008084022.tif 000011
【図１０】
2008084022.tif 000012